(57)【要約】【課題】離型に有利な成形装置を提供する。【解決手段】型を用いて基板上の組成物を成形する成形装置であって、型を保持する複数の型保持部と、複数の型保持部をそれぞれ駆動する複数の駆動部と、複数の駆動部を制御する制御部と、を備え、制御部は、組成物から型を引き離す離型が基板の外周に沿って進行するように複数の駆動部を制御する。【選択図】図３
2020047649.tif 000002
【特許請求の範囲】
【請求項１】
型を用いて基板上の組成物を成形する成形装置であって、
前記型を保持する複数の型保持部と、
前記複数の型保持部をそれぞれ駆動する複数の駆動部と、
前記複数の駆動部を制御する制御部と、を備え、
前記制御部は、前記組成物から前記型を引き離す離型が前記基板の外周に沿って進行するように前記複数の駆動部を制御する、ことを特徴とする成形装置。
【請求項２】
前記複数の駆動部は、前記複数の型保持部をそれぞれ独立して前記基板の表面に交差する方向に駆動可能である、ことを特徴とする請求項１に記載の成形装置。
【請求項３】
前記複数の型保持部は、前記基板の外周に沿って配置され、前記型の外周を保持することを特徴とする請求項１または２に記載の成形装置。
【請求項４】
前記制御部は、隣り合う前記型保持部が順次駆動するように前記複数の駆動部を制御する、ことを特徴とする請求項１乃至３のいずれか１項に記載の成形装置。
【請求項５】
前記制御部は、前記複数の型保持部のうちの一つを駆動するように前記複数の駆動部のうちの一つを制御することで、前記離型を開始させる、ことを特徴とする請求項１乃至４のいずれか１項に記載の成形装置。
【請求項６】
前記型保持部は、前記型を保持する複数の保持領域を備え、
前記制御部は、前記離型を開始する際に前記複数の保持領域の一部の保持力を低減するよう制御する、ことを特徴とする請求項１乃至５のいずれか１項に記載の成形装置。
【請求項７】
前記複数の型保持部は、隣り合う前記型保持部と所定の間隔をもって配置される、ことを特徴とする請求項１乃至５のいずれか１項に記載の成形装置。
【請求項８】
前記成形装置は、前記型の平面部を前記組成物に接触させることにより前記組成物を平坦にすることを特徴とする請求項１乃至７のいずれか１項に記載の成形装置。
【請求項９】
前記成形装置は、前記型のパターンを前記組成物に接触させることにより前記組成物のパターンを形成することを特徴とする請求項１乃至７のいずれか１項に記載の成形装置。
【請求項１０】
型を用いて基板上の組成物を成形する成形方法であって、
前記型を保持する複数の型保持部をそれぞれ駆動する工程を含み、
前記工程において、前記組成物から前記型を引き離す離型が前記基板の外周に沿って進行するように前記複数の型保持部を駆動する、ことを特徴とする成形方法。
【請求項１１】
請求項１乃至９のいずれか１項に記載の成形装置を用いて基板上の組成物を成形する工程と、
前記工程で組成物が形成された前記基板を処理する工程と、
処理された前記基板から物品を製造する工程と、を含む、
ことを特徴とする物品の製造方法。
【発明の詳細な説明】
【技術分野】
【０００１】
型を用いて基板上の組成物を成形する成形装置、成形方法、及び、物品製造方法に関する。
【背景技術】
【０００２】
半導体デバイスの微細化の要求が進み、従来のフォトリソグラフィ技術に加えて、基板上の未硬化のインプリント材をモールド（型）で成形して硬化させ、基板上にインプリント材のパターンを形成する微細加工技術が注目されている。かかる技術は、インプリント技術と呼ばれ、基板上に数ナノメートルオーダーの微細なパターンを形成することができる。
【０００３】
インプリント技術の１つとして、例えば、光硬化法がある。光硬化法を採用したインプリント装置は、基板上（ショット領域）に供給された光硬化性のインプリント材をモールドで成形し、光を照射してインプリント材を硬化させ、硬化したインプリント材からモールドを引き離すことで、基板上にパターンを形成する。
【０００４】
また、近年では、インプリント装置を用いて基板を平坦化する技術が提案されている（特許文献１参照）。基板の平坦化技術に関しては、一般的には、既存の塗布装置（スピンコーター）を用いて基板上に塗布膜を形成することで基板の段差を平坦化する技術が知られているが、基板の段差をナノスケールで平坦化するには不十分である。一方、特許文献１に開示された技術は、基板の段差に基づいてインプリント材を滴下し、滴下したインプリント材にテンプレートを接触させた状態でインプリント材を硬化することで平坦化の精度向上を図るものである。
【０００５】
このような技術において、テンプレートとインプリント材を引きはがす離型動作の際に、テンプレートと、インプリント材及び基板とが、互いに引き合う力が大きく働く。そのため、テンプレートとインプリント材とを引きはがすのに必要な離型力が大きくなる。離型力が大きいと、硬化したインプリント材から型を引き離すことができず、テンプレートや基板をそれぞれの保持部（チャック）で保持することができなくなる（脱離する）問題が発生しうる。
【０００６】
また、インプリント材が基板側から剥がれてテンプレート側に付着したまま残ってしまう場合もある。特許文献２では、基板の裏面の基板端部を保持する第１保持部と、基板裏面のその他の部分を保持する第２保持部を備えて、第１保持部及び前記第２保持部を互いに相対的に移動させて離型を行うことで、離型力を低減する方法が記載されている。
【先行技術文献】
【特許文献】
【０００７】
【特許文献１】特表２０１１−５２９６２６号公報
【特許文献２】特開２０１０−２６９５８０号公報
【発明の概要】
【発明が解決しようとする課題】
【０００８】
しかし、この方法では、基板端部においては、離型力を低減することができるが、基板の端部から中央部に向かって離型を行う際に離型力が大きくなる恐れがある。そのため、テンプレートや基板の保持部からの脱離やテンプレートへのインプリント材の残留を効果的に改善することが困難であった。
【０００９】
本発明は、例えば、離型に有利な成形装置を提供する事を目的とする。
【課題を解決するための手段】
【００１０】
上記課題を解決するために、本発明は、型を用いて基板上の組成物を成形する成形装置であって、型を保持する複数の型保持部と、複数の型保持部をそれぞれ駆動する複数の駆動部と、複数の駆動部を制御する制御部と、を備え、制御部は、組成物から型を引き離す離型が基板の外周に沿って進行するように複数の駆動部を制御する。
【発明の効果】
【００１１】
本発明によれば、例えば、離型に有利な成形装置を提供することができる。
【図面の簡単な説明】
【００１２】
【図１】本発明の一側面としての平坦化装置の構成を示す概略図である。
【図２】平坦化処理の概要を説明するための図である。
【図３】第１実施形態に係る型保持部を示す図である。
【図４】第１実施形態に係る平坦化処理の離型動作を示した図である。
【図５】第２実施形態に係る型保持部を示す図である。
【図６】物品の製造方法を示す図である。
【発明を実施するための形態】
【００１３】
以下、添付図面を参照して、本発明の好適な実施の形態について説明する。なお、各図において、同一の部材については同一の参照番号を付し、重複する説明は省略する。
＜第１実施形態＞
【００１４】
図１は、本発明の一側面としての平坦化装置１００の構成を示す概略図である。平坦化装置１００は、型（モールド、テンプレート）を用いて基板上のインプリント材（組成物
）を成形する成形装置（所謂、インプリント装置）で具現化され、本実施形態では、基板上のインプリント材を平坦化する。平坦化装置１００は、基板上のインプリント材と型とを接触させた状態でインプリント材を硬化させ、硬化したインプリント材から型を引き離すことで基板上にインプリント材の平坦面を形成する。
【００１５】
平坦化装置１００は、図１に示すように、チャック２と、基板ステージ３と、ベース定盤４と、支柱５と、天板６と、ガイドバー８と、支柱１０と、複数の型保持部１２２ａ〜１２２ｌと、支持部１３と、アライメント棚１４とを有する。さらに、供給部２０と、オフアクシスアライメント（ＯＡ）スコープ２１と、基板搬送部２２と、アライメントスコープ２３と、光源２４と、ステージ駆動部３１と、型搬送部３２と、洗浄部３３と、入力部３４と、制御部２００とを有する。本実施形態において、チャック２及び基板ステージ３は、基板１を保持する基板保持部を構成する。ここでは、水平面（チャック２に保持された基板１に沿った面）をＸＹ平面とし、鉛直方向をＺ軸方向とするようにＸＹＺ座標系が定義されている。
【００１６】
図１を参照するに、基板１は、搬送ハンドなどを含む基板搬送部２２によって、平坦化装置１００の外部から搬入され、チャック２に保持される。基板ステージ３は、ベース定盤４に支持され、チャック２に保持された基板１を所定の位置に位置決めするために、Ｘ軸方向及びＹ軸方向に駆動される。ステージ駆動部３１は、例えば、リニアモータやエアシリンダなどを含み、基板ステージ３を少なくともＸ軸方向及びＹ軸方向に駆動する（移動させる）が、基板ステージ３を２軸以上の方向（例えば、６軸方向）に駆動する機能を有していてもよい。また、ステージ駆動部３１は、回転機構を含み、チャック２又は基板ステージ３をＺ軸方向に平行な軸周りに回転駆動する（回転させる）。
【００１７】
型１１は、搬送ハンドなどを含む型搬送部３２によって、平坦化装置１００の外部から搬入され、複数の型保持部１２２ａ〜１２２ｌに保持される。平坦化装置１００で用いられる型１１は、少なくとも基板上のインプリント材と接触する領域は凹凸パターンが形成されていない平坦部１１ａを有する。型１１は、例えば、円形又は四角形の外形を有し、基板上のインプリント材に接触して基板１の表面形状に倣う平面部１１ａを含む平面テンプレートである。平面部１１ａの面積は、本実施形態では、基板１の表面と同じ大きさ、又は、基板１の表面よりも大きい。複数の型保持部１２２ａ〜１２２ｌは、支持部１３に支持され、型１１のＺ軸周りの傾きを補正する機能を有する。複数の型保持部１２２ａ〜１２２ｌ及び支持部１３を総称して、インプリントヘッド１２という。インプリントヘッド１２は、光源２４からコリメータレンズを介して照射される光（紫外線）を通過させる開口（不図示）を含む。また、複数の型保持部１２２ａ〜１２２ｌ又は支持部１３には、基板上のインプリント材に対する型１１の押し付け力（押印力）を計測するためのロードセルが配置されている。複数の型保持部１２２ａ〜１２２ｌの詳細な構成については後述する。
【００１８】
ベース定盤４には、天板６を支持する支柱５が配置されている。ガイドバー８は、天板６に懸架され、アライメント棚１４を貫通し、支持部１３に固定される。アライメント棚１４は、支柱１０を介して天板６に懸架される。アライメント棚１４には、ガイドバー８が貫通している。また、アライメント棚１４には、例えば、斜入射像ずれ方式を用いて、チャック２に保持された基板１の高さ（平坦度）を計測するための高さ計測系（不図示）が配置されている。
【００１９】
アライメントスコープ２３は、基板ステージ３に設けられた基準マークと、型１１に設けられたアライメントマークとを観察するための光学系及び撮像系を含む。但し、型１１にアライメントマークが設けられていない場合には、アライメントスコープ２３がなくてもよい。アライメントスコープ２３は、基板ステージ３に設けられた基準マークと、型１１に設けられたアライメントマークとの相対的な位置を計測し、その位置ずれを補正するアライメントに用いられる。
【００２０】
供給部２０（ディスペンサとも呼ばれる）は、基板１に未硬化のインプリント材を吐出する吐出口（ノズル）を有し、基板上にインプリント材を供給（塗布）する。供給部２０は、例えば、ピエゾジェット方式やマイクロソレノイド方式などを採用し、基板上に１ｐＬ（ピコリットル）程度の微小な容積のインプリント材を供給することができる。また、供給部２０における吐出口の数は、限定されるものではなく、１つ（シングルノズル）であってもよいし、１００を超えてもよい（即ち、リニアノズルアレイでもよいし、複数のリニアノズルアレイを組み合わせてもよい）。
【００２１】
ＯＡスコープ２１は、アライメント棚１４に支持される。ＯＡスコープ２１は、型１１を介さずに基板１の複数のショット領域に設けられたアライメントマークを検出する。アライメントスコープ２３によって型１１と基板ステージ３との位置関係を求め、ＯＡスコープ２１によって基板ステージ３と基板１との位置関係を求めることで型１１と基板１との相対的なアライメントを行うことができる。
【００２２】
洗浄部３３は、型１１がインプリントヘッド１２に保持された状態で、型１１を洗浄する（クリーニングする）。洗浄部３３は、本実施形態では、基板上の硬化したインプリント材から型１１を引き離すことによって、型１１、特に、平面部１１ａに付着したインプリント材を除去する。洗浄部３３は、例えば、型１１に付着したインプリント材を拭き取ってもよいし、ＵＶ照射、ウェット洗浄、ドライプラズマ洗浄などを用いて型１１に付着したインプリント材を除去してもよい。
【００２３】
制御部２００は、ＣＰＵやメモリなどを含み、平坦化装置１００の全体を制御する。制御部２００は、平坦化装置１００の各部を統括的に制御して平坦化処理を行う処理部として機能する。ここで、平坦化処理とは、型１１の平面部１１ａを基板上のインプリント材に接触させて平面部１１ａを基板１の表面形状に倣わせることでインプリント材を平坦化する処理である。なお、平坦化処理は、一般的には、ロット単位で、即ち、同一のロットに含まれる複数の基板のそれぞれに対して行われる。
【００２４】
図２（Ａ）乃至図２（Ｃ）を参照して、平坦化処理について概要を説明する。まず、図２（Ａ）に示すように、下地パターン１ａが形成されている基板１に対して、供給部２０からインプリント材ＩＭを供給する。図２（Ａ）は、基板上にインプリント材ＩＭを供給し、型１１を接触させる前の状態を示している。次いで、図２（Ｂ）に示すように、基板上のインプリント材ＩＭと型１１の平面部１１ａとを接触させる。図２（Ｂ）は、型１１の平面部１１ａが基板上のインプリント材ＩＭに完全に接触し、型１１の平面部１１ａが基板１の表面形状に倣った状態を示している。そして、図２（Ｂ）に示す状態で、光源２４から、型１１を介して、基板上のインプリント材ＩＭに光を照射してインプリント材ＩＭを硬化させる。次に、図２（Ｃ）に示すように、基板上の硬化したインプリント材ＩＭから型１１を引き離す。これにより、基板１の全面で均一な厚みのインプリント材ＩＭの層（平坦化層）を形成することができる。図２（Ｃ）は、基板上にインプリント材ＩＭの平坦化層が形成された状態を示している。
【００２５】
次に、本実施形態の複数の型保持部１２２ａ〜１２２ｌの構成について説明する。図３は、第１実施形態に係る型保持部１２２ａ〜１２２ｌを示す図である。図３は、複数の型保持部１２２ａ〜１２２ｌを＋Ｚ方向から見た図及びその側面図である。複数の型保持部１２２ａ〜１２２ｌは型１１の外周の位置で型１１を保持する。本実施形態においては、一例として円形の外形を有する型１１を用いるため、複数の型保持部１２２ａ〜１２２ｌも円形の外周に沿った位置に円状に配置されている。なお、例えば、四角形の外形を有する型１１を用いる場合、複数の型保持部１２２ａ〜１２２ｌは、四角形状に配置することができる。
【００２６】
複数の型保持部１２２ａ〜１２２ｌは、複数の型保持部１２２ａ〜１２２ｌを基板１の面（ＸＹ面）に交差する方向であるＺ方向に駆動可能な駆動部１２１ａ〜１２１ｌをそれぞれ備える。なお、本明細書において、基板１の表面とは、インプリント材が供給される基板１の面である。駆動部１２１ａ〜１２１ｌは、支持部１３に固定される。駆動部１２１ａ〜１２１ｌは、制御部２００によってそれぞれ個別に制御され、独立して駆動可能である。これにより、複数の型保持部１２２ａ〜１２２ｌは、それぞれ独立してＺ方向に駆動することができる。
【００２７】
次に、図４を参照して、第１実施形態による平坦化処理の離型動作について説明する。図４は、第１実施形態に係る平坦化処理の離型動作を示した図である。なお、以下、単に型保持部１２２という場合、複数の型保持部１２２ａ〜１２２ｌのうち少なくとも１つの型保持部を指すものとする。また、単に駆動部１２１という場合、複数の駆動部１２１ａ〜１２１ｌのうち型保持部１２２に対応する少なくとも１つの駆動部を指すものとする。本実施形態に係る離型動作は、制御部２００による各部の制御により、実行される。図４（Ａ）は基板１の上のインプリント材ＩＭと型１１が接触した状態でインプリント材ＩＭを硬化させた状態を示している。図４（Ｂ）は複数の型保持部１２２ａ〜１２２ｌのうち、矢印で示す型保持部１２２ａを駆動部１２１ａによって＋Ｚ方向に駆動させ、インプリント材ＩＭの外周の一点から離型を開始した図である。なお、本図においては、一例として、離型動作の開始位置を型保持部１２２ａの位置とするが、これに限られない。
【００２８】
これに続いて図４（Ｃ）において、型保持部１２２ａと隣り合う型保持部１２２ｂを対応する駆動部１２１ｂによって、＋Ｚ方向に駆動させる。また、これに続き、図４（Ｄ）において、型保持部１２２ｂと隣り合う型保持部１２２ｃを対応する駆動部１２１ｃによって、＋Ｚ方向に駆動させる。このように、＋Ｚ方向に駆動された型保持部１２２と隣り合う型保持部を対応する駆動部によって順次駆動することで、型保持部１２２ａの位置から開始される離型は、基板１の外周に沿って時計周りの方向に連続的に進行していく。このように離型を進行させることで、型１１全体を同時に引き上げて離型を行う場合よりも、小さい領域ずつ離型を進行させることができる為、離型力を低減することが可能となり、型や基板の保持部からの脱離や型へのインプリント材の残留を低減することができる。
【００２９】
図４（Ｅ）は複数の型保持部１２２ａ〜１２２ｌを時計周りに順次に＋Ｚ方向に駆動させて行き、矢印で示す型保持部１２２ｌの駆動部１２１ｌによる駆動が完了し、型保持部１２２ａ〜１２２ｌの＋Ｚ方向への駆動が一周した状態を示している。基板１の外周に沿って進んだ離型により、インプリント材ＩＭと型１１の接触部は離型開始時よりも直径が小さくなっている。図４（Ｆ）はさらに離型を進めるために、型保持部１２２ａを、図４（Ｅ）の位置からさらに＋Ｚ方向に駆動させた図を示している。これに続いて、先述と同様に、＋Ｚ方向に駆動させれた型保持部と隣り合う型保持部を時計周りに順次＋Ｚ方向に駆動させ、基板１の外周に沿って離型を進行させ、離型を完了させる。
【００３０】
なお、図４においては、離型の進行方向を時計周りとしたが、これに限定されず、反時計周りでもかまわない。また、図４においては、離型の開始位置である型保持部１２２ａと隣り合う型保持部１２２ｂ及び型保持部１２２ｌのうち、一方の型保持部１２２ｂのみを駆動し、離型を一方向に進行させたが、これに限られない。隣り合う型保持部の両方（型保持部１２２ｂ及び型保持部１２２ｌ）を駆動してもよい。離型の動作を型保持部１２２ｂ、１２２ｃ、１２２ｄを時計回りに順次駆動させて離型を進行させる動作と、型保持部１２２ｌ、１２２ｋ、１２２ｊを半時計回りに順次駆動させて離型を進行させる動作を組み合わせることができる。時計回りと反時計回りの離型動作を並行して行うことにより、基板１の外周に沿った離型を倍の速度で進行させることができ、スループットを向上させることが可能となる。
【００３１】
ここまでは、離型の開始位置がインプリント材ＩＭの外周の１点である場合を説明したが、離型の開始時において＋Ｚ方向に駆動する型保持部を複数としても良い。離型の開始時において＋Ｚ方向に駆動する型保持部を増やすことで離型の開始位置を複数にすることができる。例えば、型保持部１２２ａに加えて、対角に位置する型保持部１２２ｇも同時に＋Ｚ方向に駆動させる。このようにすることで、対向する２点から離型が開始され、それぞれ型保持部と隣り合う型保持部を順次駆動させることとなり、基板１の外周に沿った離型を倍の速度で進行させることができるため、スループットを向上させることが可能となる。離型の開始点が多くなれば離型力は増加することとなるため、離型力と離型速度を勘案して離型開始点の数を決定しても良い。
【００３２】
＜第２実施形態＞
次に、図５に基づいて第２実施形態の平坦化装置について説明する。図５は、第２実施形態に係る型保持部を示す図である。図５（Ａ）は、第２実施形態の型保持部２２２の拡大図である。本実施形態においても、単に型保持部２２２という場合、複数の型保持部２２２ａ〜２２２ｌのうち少なくとも１つの型保持部を指すものとする。本図は、型保持部２２２を−Ｚ方向から見た図である。型保持部２２２は、複数の保持領域４０〜４３を備える。保持領域４０〜４３は、真空吸着力や静電力によって引き付けることで型１１を保持する。
【００３３】
本実施形態に係る型保持部２２２は、保持領域が４つに分割されている例である。型保持部２２２は、型保持部２２２の中央部に配置される保持領域４０と、型保持部２２２と隣り合う型保持部に対向する位置に配置される保持領域４１及び保持領域４２と、基板１の中心部に対向する位置に配置される保持領域４３を備える。各保持領域の保持力切り替え（型１１の着脱の切り替え）は制御部２００によって制御される。
【００３４】
図５（Ｂ）は、矢印で示す位置の型保持部２２２ａを＋Ｚ上方向に駆動させて、離型を開始した図を示している。型１１の一部のみを＋Ｚ方向に駆動させると、型１１に湾曲させる力が加わる。型１１の湾曲した部分は元の形状に戻ろうとするため、型保持部２２２ａの保持力と対抗する力が型１１に働く。この力が保持力を超えてしまうと、型保持部２２２から型１１が脱離してしまう懸念がある。また、型１１への保持力が十分大きく、脱離しない場合であっても、型１１を湾曲させる力によって型１１の破損などを引き起こす可能性もある。そのため、本実施形態では、制御部２００は、離型時の型保持部２２２の駆動に連動して複数の保持領域４０〜４３の保持力をそれぞれ制御する。具体的には、離型時において、型保持部２２２が＋Ｚ方向への駆動が開始される際に、制御部２００によって一部の保持領域４１、４２、４３の保持力を切る（保持力を小さくする）。これにより、離型が進行していない位置付近の型保持部２２２による保持力を低減させ、離型動作による型１１の湾曲量を軽減しつつ、離型動作を進行させる。なお、本実施形態においては、一部の保持領域４１、４２、４３の保持力を完全に切ることとしたが、一部の保持領域４１、４２、４３の保持力を低減させても良い。
【００３５】
同様の効果を持たせる手段として、隣り合う型保持部２２２同士を型１１が緩やかな湾曲となるための所定の間隔をもって配置する方法もある。具体的には、例えば、型保持部２２２の大きさを小さくする、または、数を減らすことにより、間隔をもたせる。さらに、保持領域の面積を小さくしても良い。具体的には、例えば、型保持部２２２は、図５（Ａ）に示す保持領域４０のみを備える。なお、これらの場合は型保持部２２２の保持力の総量が減るため、平坦化処理の全行程を鑑みて十分な保持力が確保されていることを確認する必要がある。
【００３６】
また、隣り合う型保持部１２２（型保持部２２２）同士を型１１が緩やかな湾曲となるように、複数の型保持部１２２を同時に＋方向に駆動させてもよい。具体的には、型保持部１２２ａを＋Ｚ方向に駆動させる際に、隣接する型保持部１２２ｂ（型保持部１２２ｌ）を＋Ｚ方向に駆動させることができる。この時、型保持部１２２ａの駆動量よりも型保持部１２２ｂの駆動量を小さくすることで、型１１を緩やかに湾曲させて離型することができる。
【００３７】
以上のような構成とすることで、離型による型の型保持部からの脱離を低減することが可能となる。
【００３８】
＜物品製造方法の実施形態＞
インプリント装置を用いて形成した硬化物のパターンは、各種物品の少なくとも一部に恒久的に、或いは各種物品を製造する際に一時的に、用いられる。物品とは、電気回路素子、光学素子、ＭＥＭＳ、記録素子、センサ、或いは、型等である。電気回路素子としては、ＤＲＡＭ、ＳＲＡＭ、フラッシュメモリ、ＭＲＡＭのような、揮発性或いは不揮発性の半導体メモリや、ＬＳＩ、ＣＣＤ、イメージセンサ、ＦＰＧＡのような半導体素子等が挙げられる。型としては、インプリント用のモールド等が挙げられる。
【００３９】
硬化物のパターンは、上記物品の少なくとも一部の構成部材として、そのまま用いられるか、或いは、レジストマスクとして一時的に用いられる。基板の加工工程においてエッチング又はイオン注入等が行われた後、レジストマスクは除去される。
【００４０】
次に、物品の具体的な製造方法について説明する。図６（Ａ）に示すように、絶縁体等の被加工材２ｚが表面に形成されたシリコンウエハ等の基板１ｚを用意し、続いて、インクジェット法等により、被加工材２ｚの表面にインプリント材３ｚを付与する。ここでは、複数の液滴状になったインプリント材３ｚが基板上に付与された様子を示している。
【００４１】
図６（Ｂ）に示すように、インプリント用の型４ｚを、その凹凸パターンが形成された側を基板上のインプリント材３ｚに向け、対向させる。図６（Ｃ）に示すように、インプリント材３ｚが付与された基板１ｚと型４ｚとを接触させ、圧力を加える。インプリント材３ｚは型４ｚと被加工材２ｚとの隙間に充填される。この状態で硬化用のエネルギーとして光を型４ｚを透して照射すると、インプリント材３ｚは硬化する。
【００４２】
図６（Ｄ）に示すように、インプリント材３ｚを硬化させた後、型４ｚと基板１ｚを引き離すと、基板１ｚ上にインプリント材３ｚの硬化物のパターンが形成される。この硬化物のパターンは、型の凹部が硬化物の凸部に、型の凹部が硬化物の凸部に対応した形状になっており、即ち、インプリント材３ｚに型４ｚの凹凸パターンが転写されたことになる。
【００４３】
図６（Ｅ）に示すように、硬化物のパターンを耐エッチングマスクとしてエッチングを行うと、被加工材２ｚの表面のうち、硬化物が無いか或いは薄く残存した部分が除去され、溝５ｚとなる。図６（Ｆ）に示すように、硬化物のパターンを除去すると、被加工材２ｚの表面に溝５ｚが形成された物品を得ることができる。ここでは硬化物のパターンを除去したが、加工後も除去せずに、例えば、半導体素子等に含まれる層間絶縁用の膜、つまり、物品の構成部材として利用してもよい。
【００４４】
なお、型４ｚとして、凹凸パターンを設けた回路パターン転写用の型を用いた例について述べたが、凹凸パターンがない平面部を有する型（平面テンプレート）であってもよい。
【００４５】
以上、本発明の好ましい実施形態について説明したが、本発明はこれらの実施形態に限定されないことはいうまでもなく、その要旨の範囲内で種々の変形及び変更が可能である。例えば、本発明は、成形装置を平坦化装置に限定するものではなく、インプリント装置にも適用することができる。ここで、インプリント装置は、型として凹凸パターンを設けた回路パターン転写用の型を用いる。インプリント装置は、基板上に供給されたインプリント材と凹凸パターンを備える型とを接触させ、インプリント材に硬化用のエネルギーを与えることにより、型のパターンが転写された硬化物のパターンを形成する。
【００４６】
さらの、上述の実施形態においては、型保持部が複数設けられる実施形態について説明したが、同様に基板保持部を複数設けることで、離型力を低減させても良い。
【符号の説明】
【００４７】
４０〜４３    保持領域
１００        平坦化装置
１２１ａ〜ｌ  駆動部
１２２ａ〜ｌ  型保持部
２００        制御部
【図１】
2020047649.tif 000003
【図２】
2020047649.tif 000004
【図３】
2020047649.tif 000005
【図４】
2020047649.tif 000006
【図５】
2020047649.tif 000007
【図６】
2020047649.tif 000008